(57)【要約】  【課題】  液体の噴出作業と、該液体の塗布、拭い去り作業を片手で行うことのできるハンディタイプの液体を表面に適用するための器具を提供することを課題とする。  【解決手段】  本発明のハンディタイプの液体を表面に適用するための器具は、液体を保持する押圧変形可能な容器本体、該容器本体の先端部に配置され、液体を噴出するノズル、及び前記容器本体の先端部に突出して配置される少なくとも一つの突部からなる液体収容容器と、前記突部に着脱可能に固定されるとともに、前記ノズルから噴出される液体を吸収保持する吸液パッドとからなる。  【選択図】  図１  
2005246190.tif 000002
【特許請求の範囲】
【請求項１】
液体を収容する少なくとも一部が押圧変形可能な容器本体、
該容器本体の先端部に配置され液体を噴出するノズル、及び
前記容器本体の先端部に突出して配置される少なくとも一つの突部
からなる液体収容容器と、
前記突部に着脱可能に固定されるとともに、前記ノズルから噴出される液体を吸収保持する吸液パッドと
からなるハンディタイプの液体を表面に適用するための器具。
【請求項２】
前記突部又は前記容器本体の先端部に当接面が設けられ、吸液パッドは、前記突部に着脱可能に、さらに前記当接面に当接して固定される請求項１に記載のハンディタイプの液体を表面に適用するための器具。
【請求項３】
吸液パッドは、液体を吸収保持する吸液部材と、吸液パッドを容器本体の先端部に固定する固定部材とからなり、該固定部材は前記突部に嵌入して固定するための開口を有する請求項１又は２に記載のハンディタイプの液体を表面に適用するための器具。
【請求項４】
吸液パッドの固定部材は、前記当接面に当接する面を有する請求項１〜３のいずれかに記載のハンディタイプの液体を表面に適用するための器具。
【請求項５】
吸液パッドの固定部材の開口と接する突部の外表面上に突起を設けた請求項１〜４のいずれかに記載のハンディタイプの液体を表面に適用するための器具。
【請求項６】
ノズルは、ノズルの軸と同じ方向に液体を噴出する直進噴出用の噴出口とノズルの軸と異なる方向に液体を噴出する斜め噴出用の噴出口とを有する請求項１〜５のいずれかに記載のハンディタイプの液体を表面に適用するための器具。
【請求項７】
ノズルの直進噴出用の噴出口及び／又は斜め噴出用の噴出口からの液体の噴出を制御して液体の噴出方向を切り替える手段を有する請求項１〜６のいずれかに記載のハンディタイプの液体を表面に適用するための器具。
【請求項８】
前記当接面を前記突部の先端近傍まで移動させ、かつかかる移動によって吸液パッドを脱着させるための手段を設けた請求項１〜７のいずれかに記載のハンディタイプの液体を表面に適用するための器具。
【請求項９】
容器本体は容器把持部を有し、該容器把持部の軸に対して直角の断面が略楕円形状を有する請求項１〜８のいずれかに記載のハンディタイプの液体を表面に適用するための器具。
【請求項１０】
前記容器把持部の下部と上部との間において、容器把持部の下部における楕円の長径は容器把持部の上部における楕円の短径に、そして容器把持部の下部における楕円の短径は容器把持部の上部における楕円の長径になるように楕円が滑らかに変形した形状を有し、容器把持部の下部と上部における断面楕円のそれぞれの長径が略90度の角度である請求項９に記載のハンディタイプの液体を表面に適用するための器具。
【請求項１１】
容器把持部の軸の方向とノズルの軸の方向が、同じ方向である請求項９又は１０に記載のハンディタイプの液体を表面に適用するための器具。
【請求項１２】
容器把持部の軸の方向とノズルの軸の方向が、異なる方向を示すとき、容器把持部の軸とノズルの軸とで形成される面と容器把持部の下部における楕円の長径とは直角に交差する請求項９又は１０に記載のハンディタイプの液体を表面に適用するための器具。
【請求項１３】
容器把持部の軸に対して直角の断面が楕円形状の位置で容器本体を分割し、容器把持部側に液体を充填するための液体充填用開口を設け、もう一方に該液体充填用開口と係合し、その断面形状が前記液体充填用開口と同一の開口密封手段を設けた請求項９〜１２のいずれかに記載のハンディタイプの液体を表面に適用するための器具。
【請求項１４】
液体を表面に適用するための器具が、表面を洗浄するためのものである請求項１〜１３のいずれかに記載のハンディタイプの液体を表面に適用するための器具。
【請求項１５】
請求項１〜１４のいずれかに記載のハンディタイプの液体を表面に適用するための器具用の液体収容容器。
【発明の詳細な説明】
【技術分野】
【０００１】
本発明は、ハンディタイプの液体を表面に適用するための器具に関するものであり、より具体的には、液体で表面を洗浄したり、液体を表面に塗布したりするための器具に関する。
【背景技術】
【０００２】
従来より、液体が収容されたハンディタイプの容器を持ち運び、様々な用途に使用している。
例えば、洗浄液が収容された容器を持ち運び、水道等の無い場所にて、手軽に汚れを洗浄する用途の液体収容器具が存在し、具体的には、介護用の臀部洗浄器具が知られていた。
この場合、より簡便的な単に液体を吹き付けるタイプのものとして、ノズル先端から噴出された水の水圧で汚れを流すハンディタイプの臀部の液体収容器具が多数提案されている（例えば、特許文献１参照）。このようなハンディタイプの臀部の液体収容器具は、もっぱら外出先において手軽に臀部を洗浄できること目的とし、噴出する水流で肌についた汚れを流し落とすものである。
【０００３】
噴出する水流で肌についた汚れを落とす場合、水様便等の粘性の低いものに対しては洗浄効果を発揮するが、軟便や固形便で皮膚表面にこびりついたような固体物質を除去することは、水圧の力だけでは非常に困難である。また、よりきれいに汚れを落とすためには水圧をより高くすることが必要になり、そうすると、液体が肌表面からはね返り、周辺部位の衣服や肌表面を汚してしまう。
【０００４】
また、臀部の洗浄は、病人、介護老人や乳幼児にも必要であり、介護や保育にたずさわる人に多大な煩わしさを課している。持に老人の介護用や乳幼児のおむつ交換時のおしりに付着した尿や便を洗浄する際に、手を汚すことなく確実に汚れを落とすことは至難である。さらに、乳幼児はおむつ交換の際に、じっとしていることまれであり、常に動きまわるので、素早く迅速に臀部を洗浄することが要求される。
【０００５】
従って、液体のみによる洗浄ではなく、洗浄対象個所に、液体を吹き付けた後、布やスポンジ等で拭って、あるいは予め液体を吸収させた布やスポンジ等で拭って汚れを落とすことが一般的であった。この場合、一方の手で液体収容器具を、他方の手で布等を取り扱わなければならず、使い勝手が良くなかった。
【０００６】
ちなみに、この液体を拭い去る手段として、肌についた頑固な汚れは、ウェットワイプス等で拭い取るのが一般的であるが、ウェットワイプスの場合、力を入れすぎたり、長時間こすりすぎたりすると、肌を赤くしたりして傷めることがある。また、強くこすると吸収されている水分が絞り出されてなくなってしまい、さらに力を入れ、肌を傷めるといった悪循環におちいることがある。
【０００７】
このように、液体収容器具と、当該液体を塗布、拭い去る手段とを簡便に取り扱うことのできる製品が、様々な用途にて待望されていた。
【０００８】
このような状況下、ハンディタイプの臀部洗浄器具に特化したものとして、液体の入った容器と、汚れを拭うスポンジを一体化したものが提案されてきている。例えば、基端部と、該基端部から延出されており、少なくとも一部が屈曲可能であり、内部に液が流通され、先端から該液が吐出されるチューブ部材と、該チューブ部材に液を供給する給液手段とを備えてなる褥瘡洗浄清掃器具が提案されている（特許文献２参照）。この基端部及び給液手段は、注水液保持容器で構成され、チューブ部材の先端に、人体に接触する洗浄清掃用のスポンジが装着されることもできるものである。
【０００９】
しかしながら、延出された部分の一部が屈曲可能となっており、その先端部にスポンジと筒状の鞘体が一体になった清掃体をチューブ部材先端の吐水部に鞘体を外嵌することにより装着させ、洗浄するという構造になっていることから、
１．一部が屈曲可能で、ある程度の長さを有するチューブ部材であるため、洗浄清掃の際に、先端に設けられたスポンジに大きな力を加えることができない。すなわち、褥瘡のような傷口の洗浄清掃にはやさしいタッチでなければならないかも知れないが、頑固の汚れを洗浄することは難しい。
２．鞘体とスポンジが一体となっている為に、汚れた先端部のみを交換するときに汚染部に触れないで交換することが煩わしく、困難である。
【００１０】
ちなみに、この特許文献２に係る液体収容器具を、他の用途に使用した場合であっても、上述した欠点は解消しないものであった。
【特許文献１】登録実用新案第3050494号公報
【特許文献２】特開2003-334231号公報
【発明の開示】
【発明が解決しようとする課題】
【００１１】
本発明は、液体の噴出と、該噴出された液体を含浸させる吸液パッドとを、片手で操作することができるハンディタイプの液体を表面に適用するための器具を提供することを課題とする。具体的には、液体の噴出と、該噴出された液体を含浸させる吸液パッドとを、片手で操作することができるハンディタイプの洗浄器具、塗布器具などを提供することを課題とする。
さらには、汚れを拭って落とす吸液パッドの着脱が容易で、衛生的に行うことができるハンディタイプの洗浄器具を提供することを課題とする。
【課題を解決するための手段】
【００１２】
本発明は、このような従来の問題点に着目してなされ、上記課題を解決したものである。
【００１３】
（１）すなわち、本発明は、液体を収容する少なくとも一部が押圧変形可能な容器本体、該容器本体の先端部に配置され液体を噴出するノズル、及び前記容器本体の先端部に突出して配置される少なくとも一つの突部からなる液体収容容器と、前記突部に着脱可能に固定されるとともに、前記ノズルから噴出される液体を吸収保持する吸液パッドとからなるハンディタイプの液体を表面に適用するための器具である。
【００１４】
（２）また、本発明のハンディタイプの液体を表面に適用するための器具は、前記突部又は前記容器本体の先端部に当接面が設けられ、吸液パッドは、前記突部に着脱可能に、さらに前記当接面に当接して固定されることが好ましい。
【００１５】
（３）前記（１）、（２）項のハンディタイプの液体を表面に適用するための器具は、吸液パッドが液体を吸収保持する吸液部材と、吸液パッドを容器本体の先端部に固定する固定部材とからなり、該固定部材は前記突部に嵌入して固定される開口を有するものであることが好ましく、（４）また、前記吸液パッドの固定部材は、前記当接面に当接する面を有することが好ましく、（５）さらに、固定部材の開口と接する突部の外表面上に突起を設けて固定部材を嵌入したとき固定部材の開口壁面に前記突起が食い込むようにすることが好ましい。
【００１６】
（６）また、本発明のハンディタイプの液体を表面に適用するための器具は、ノズルは、ノズルの軸と同じ方向に液体を噴出する直進噴出用の噴出口とノズルの軸と異なる方向に液体を噴出する斜め噴出用の噴出口とを有することが好ましく、（７）ノズルの直進噴出用の噴出口及び／又は斜め噴出用の噴出口からの液体の噴出を制御して液体の噴出方向を切り替える手段を有することが好ましい。
【００１７】
（８）さらに、本発明のハンディタイプの液体を表面に適用するための器具は、前記当接面を前記突部の先端近傍まで移動させ、かつかかる移動によって吸液パッドを脱着させるための手段を設けることが好ましい。
【００１８】
（９）なお、本発明のハンディタイプの液体を表面に適用するための器具は、容器本体は容器把持部を有し、該容器把持部の軸に対して直角の断面が略楕円形状を有することが好ましく、（１０）さらに、前記容器把持部の下部と上部との間において、容器把持部の下部における楕円の長径は容器把持部の上部における楕円の短径に、そして容器把持部の下部における楕円の短径は容器把持部の上部における楕円の長径になるように楕円が滑らかに変形した形状を有し、容器把持部の下部と上部における断面楕円のそれぞれの長径が略90度の角度であることが好ましい。
【００１９】
（１１）また、本発明のハンディタイプの液体を表面に適用するための器具は、容器把持部の軸の方向とノズルの軸の方向が、同じ方向であることが好ましく、また（１２）容器把持部の軸の方向とノズルの軸の方向が、異なる方向を示すとき、容器把持部の軸とノズルの軸とで形成される面と容器把持部の下部における楕円の長径とは直角に交差することが好ましい。
【００２０】
（１３）さらに、本発明のハンディタイプの液体を表面に適用するための器具は、容器把持部の軸に対して直角の断面が楕円形状の位置で容器本体を分割し、容器把持部側に液体を充填するための液体充填用開口を設け、もう一方に該液体充填用開口と係合し、その断面形状が前記液体充填用開口と同一の開口密封手段を設けたものであることが好ましい。
【００２１】
（１４）また、本発明のハンディタイプの液体を表面に適用するための器具は、表面を洗浄するためのものであり、ハンディタイプの洗浄器具が提供される。
【００２２】
（１５）さらにまた、本発明は、上記（１）〜（１４）のいずれかに記載のハンディタイプの液体を表面に適用するための器具用の液体収容容器である。
【発明の効果】
【００２３】
本発明の上記（１）のハンディタイプの液体を表面に適用するための器具（以下、単に「液体適用器具」ということがある。）によると、液体の供給と液体の塗布、拭い去り作業等が片手の操作で十分行うことができる。よって、例えば洗浄器具として使用した場合、身の回りの家具、ＯＡ器機、自動車内などの汚れを簡便に洗浄することができる。さらに、乳児のおしめ交換、病人や老人の介護にも好適に使用でき、片手で操作して肌に付着した汚れを確実に素早く落とすことができる。すなわち、容器本体に液体を充填し、容器本体の先端部の突部に吸液パッドを固定後に容器本体を押圧変形させることによって、ノズルから液体を噴出させて、吸液パッドで汚れを拭うように液体適用器具を適宜の方向に動かすことにより洗浄することができる。吸液パッドを装着する前に液体を汚れに噴出して湿らせておいてもよい。洗浄中も容器本体を押圧して、液体を供給して洗い流しながら、洗浄することもできる。
【００２４】
この場合、使用者の様々なアイデアにより、収容させる液体を選択することができるのは勿論である。例えば、液体としてペンキ、染み抜き剤などを採用することもでき、この場合においても、液体の噴出及び吸液パッドによる該液体の塗布作業を片手にて行うことが可能となる。
【００２５】
（２）の当接面を容器先端部又は突部に設けることにより、吸液パッドを、容器先端部の突部との固定に加えて当接面とで固定することによってより強固に固定することができる。特に、上記（３）及び（４）に記載の、突部に嵌入して固定される開口、及び当接面に当接する面を固定部材に設けることによって、前記突部及び当接面と連携して、吸液パッド（固定部材）を容器先端部により強固に固定する。また、上記（５）の突部の突起も吸液パッド（固定部材）の固定を強化する。
【００２６】
上記（６）及び（７）のハンディタイプの液体適用器具において、ノズルは直進噴出用の噴出口と斜め噴出用の噴出口とを有し、液体の噴出を制御して液体の噴出方向を切り替える手段を有するから、直線状或いはシャワー状に液体を噴出することができる。シャワー状に噴出することで吸液パッドを湿らせたり、対象位置を広範に湿らせたり、直線状に噴出することで局部的に湿らせることができる。
【００２７】
上記（８）のハンディタイプの液体適用器具は、当接面を移動させることによって、洗浄後吸液パッドを、手を触れることなく衛生的に廃棄することができ、使用済みの吸液パッドに付着している汚れや液体で周囲を汚染することもない。
【００２８】
上記（９）のハンディタイプの液体適用器具は、容器本体の容器把持部の断面を楕円形状にすることにより、容器本体を握る安定性が増し、吸液パッドで拭う操作の信頼性が向上する。
上記（１０）の構成の液体適用器具は、容器把持部の上部と下部でそれぞれの楕円の長径が直角に交差する形状であるから、容器は手にぴったりフィットして、握り安定性が向上し液体適用器具の操作性はさらに向上する。
【００２９】
さらに、上記（１０）の液体適用器具は、容器把持部の軸の方向と容器先端部のノズルの軸の方向を同じ方向とするとコンパクトさ、不使用時の収納性がよい。また、（１２）容器把持部の軸の方向とノズルの軸の方向が、異なる方向になるようにして、容器先端部を容器把持部から傾斜させたかたちにすると、容器本体を握ったときの安定性及び操作性が向上し、容器把持部の下部における楕円の長径と直角な面上にノズルの軸があると、吸液パッドに力をさらに加えやすくなる。
【００３０】
（１３）の液体適用器具は、液体を充填するための充填用開口を断面が楕円形状の位置に設ける構成であるから、開閉に力を効果的に作用させることができる。また、充填用開口の断面と係合する密封手段の断面とを同じ楕円形状にすることによって、液体を収容した後の密封が確実に行えているかどうかが容易に確認できる。すなわち、両者の楕円がぴったり合致したところで、係合が確実になり十分密封できたことになる。
【００３１】
（１４）また、本発明のハンディタイプの液体適用器具は、表面を洗浄するためのものとして使用すると、既に上記の（１）に記したような格別な効果を発揮する。
【００３２】
（１５）の液体収容容器は、上記のハンディタイプの液体適用器具の吸液パッドを装着しない状態のものであり、このままでも、携帯洗浄器として用いることもできる。
【発明を実施するための最良の形態】
【００３３】
以下、本発明のハンディタイプの液体適用器具について、実施の形態を図面等に基づいて説明する。
なお、説明の便宜上、本発明に係る液体適用器具を、臀部の洗浄器具として使用した場合を中心に説明するが、該液体適用器具の用途がそれに限られないのは勿論である。
【００３４】
図１は、この発明の一実施の形態を示す図であり、ハンディタイプの液体適用器具１の概観を示す。また、図２（ａ）は、図１のハンディタイプの液体適用器具１の通常の使用時に取り外すことのできる部材（吸液パッド１０及び密封手段としてのキャップ９）を外した状態を示し、図２（ｂ）は、キャップ９を嵌めた液体収容容器２について、図２（ａ）の図面で左側から見た正面図を示す。図２（ａ）、（ｂ）では、図１に示す操作レバー等（吸液パッド脱着つまみ１４及び噴出切替レバー１５）を省略している。
【００３５】
液体収容容器２の容器本体３は、その少なくとも一部は押圧変形可能な材料で握りやすい形状に作られ、内部に液体を保持する。容器先端部４には、図１では隠れて見えないが、液体を噴出するノズル１６と、容器先端部４に突出して配置された少なくとも一つの突部１７とが設けられている。そして、前記ノズル１６から噴出される液体を吸収保持する使い捨てタイプの吸液パッド１０が、前記突部１７に着脱可能に固定されている。吸液パッド１０は、図１の場合、吸液部材１１と固定部材１２とから構成されている。したがって、容器本体３の容器把持部６を手で握り、加圧して容器内の液体をノズル１６から噴出させることができ、ノズル１６から供給される液体によって、吸液パッド１０の波状に加工された柔軟な吸液部材１１は湿らされる。液体を含んだ吸液部材１１を洗浄対象に当てて前後左右に拭うことにより汚れは取り除かれる。また、洗浄中に、容器本体３をさらに押圧して液体を送り出し、汚れを洗い流しながら洗浄することもできる。
【００３６】
図３（ａ）は、吸液パッド１０を容器本体３の先端部４に装着した状態の概念図を示し、吸液パッド１０の固定部材１２の開口２３は容器先端部４から突き出した突部１７に嵌入して、吸液パッド１０は容器先端部４に固定される。容器先端部４の当接面２１と固定部材１２とが互いに平面で当接しており、固定をより強固にし、特に吸液パッド１０を汚れに押し付けて動かすとき、この面の当接と突部１７おける嵌合とによって効果的に固定されることが理解される。図３（ｂ）は、吸液パッド１０を先端部４の突部１７から離した状態を示す。
吸液パッド１０を容器本体３の先端部４に固定する場合、固定部材１２の開口２３を突部１７に嵌め込んで固定部材１２の素材の弾性を利用して固定する。したがって、固定部材１２の開口２３は、弾性を見込んで、突部１７の断面外形よりも小さ目に加工しておくことが、しっかりと固定する上で好ましい。
また、図３（ａ）のように、容器先端部４の当接面２１と固定部材１２とが平面で当接すると、それによる固定効果は非常に大きくなるので、より強固に吸液パッド１０を容器本体３の先端部４に固定することができる。しかし、吸液パッド１０（吸液部材１１）を洗浄対象に当てて前後左右に拭うことができれば、必ずしも固定部材１２を当接面２１に当接する必要はなく、図４に示すように、固定部材１２を当接せずに、容器本体３の先端部４から離れた状態で、突部１７に固定部材１２の開口２３を嵌入しただけで固定されていてもよい。また、図５に示すように、突部１７自体に平面の当接面２１を設けて固定部材１２を突部１７に嵌入し、突部１７の当接面２１に当接させても所望の固定効果を得ることができる。
【００３７】
突部１７の断面形状、サイズ、数及び配置は、吸液パッド１０が突部１７に適切に固定されるならば、特に限定するものではなく、それぞれ適宜選定することができる。すなわち、断面形状は、円に限らず、楕円や、任意の多角形でも、あるいはこれらが組み合わされた形状であってもよい。複数の突部１７を設ける場合は、断面形状は異なる形状のものを使用しても、同一形状のものを使用してもよい。加工しやすい形状が望ましく、突部１７としては、特に円柱状、円筒状が好ましい。突部１７が円筒状である場合には、図２及び３に示すように、液体を供給するノズル１６をその内部に通すこともできる。
また、吸液パッド１０の固定部材１２には、素材の弾性を考慮して、突部１７の断面形状、サイズ、数及び配置に対応した開口２３を設け、突部１７に嵌め込むことが必要である。
【００３８】
吸液パッド１０の開口２３と接する突部１７の外表面上に突起１８を設けて、吸液パッド１０を嵌入したとき吸液パッド１０の開口の内壁面に前記突起１８が食い込むようにすると、吸液パッド１０を容器先端部４によりしっかりと固定することができる（図３（ａ）参照）。
前記突起１８の形状は、凹凸があって、固定部材１２がそこに嵌め込まれてその凹凸に押し付けられたとき、固定部材１２がその弾性力で凹凸に応じた形状に変形できるのであればどのような形状であってもよい。例えば、突起１８が不連続の場合、円錐、角錐、円柱、角柱、及びこれらを組合せた形状などが挙げられ、配置は規則的であってもランダムでもよい。また、突起１８は連続していてもよく、この場合、突部１７の外周を周回する断面が多角形（例えば、三角形、四角形、台形）のリング状等の形状が挙げられる。
【００３９】
図６は、異なる種々の断面を有する台形状の突起１８の効果を説明する図である。図６（ａ）に示すように、突起１８で、突部１７の先端側及び基部側の台形の足を両方とも、台形吸液パッド１０の固定部材１２が進入、後退する方向にスロープを有する台形状にすると、吸液パッド１０の嵌入（装着）、取外し（廃棄）がスムースに行われる。図６（ｂ）に示すように、突部１７の先端側のみスロープにすると、挿入時は滑らかであるが、取外し時は滑らかに行かない。また、図６（ｃ）に示すように、突部１７の基部側のみスロープにすると、滑らか挿入できない。
図６（ｄ）に示すように、突起１８が、突部１７の基部まで伸びていると、吸液パッド１０はぐらぐらしがちになり、突起１８は突部１７の基部までいないほうが、突部１７と固定部材１２の開口２３との接合が強くなる。すなわち、固定部材１２の開口２３が突起１８で押し広げられ、さらに進んで突起１８を通り越して、元の形状に戻って突起１８を包み込むような状態になる図６（ａ）の形状が最も好ましい。さらに、台形状の突起１８は、突部１７の先端近傍外周部に突部１７軸心から外側に突出して放射状的に間隔をあけて複数設けることが好ましい。
【００４０】
本発明のハンディタイプの液体適用器具１に用いる吸液パッド１０は、液体を吸収して汚れを拭って洗浄するための吸液部材１１と、該吸液部材１１を液体収容容器２に固定するための固定部材１２とが一体化されて形成され、使用後は廃棄する使い捨てタイプとして使用されるので衛生的である。吸液部材１１は、液体を吸収保持して洗浄対象に当てて汚れを拭って落とす部材であり、材質、形状などは特に限定されるものではなく、布、不織布、紙、スポンジ、毛（刷毛に用いる）などの材料を使用することができる。固定部材１２は、吸液パッド１０を容器本体３の先端部４に着脱自在に固定する部材であり、特に洗浄中、吸液パッド１０が洗浄作業に支障をきたさないように、容器本体３の先端部４にしっかりと固定する役割をする。
【００４１】
図１〜３に示す吸液パッド１０は、洗浄面側が凸凹加工され畝状にひだ３７を突出させたスポンジ状のウレタンフォームからなる吸液部材１１と、適度の弾性と硬さを有する独立気泡構造の発泡ポリエチレンからなる固定部材１２を接着剤で貼り合わせた構造を有している。ウレタンフォームは、柔軟であり、肌触りの感触がよく、保水力もあり、吸液部材１１として特に好ましく使用することできる。また、固定部材１２は、容器先端部４の突部１７に嵌入して固定するために、独立気泡構造の発泡ポリエチレンは適度の弾性を有し、復元する変形量も大きいので好ましく使用することができる。また、ウレタンフォームも、発泡ポリエチレンも汎用的な合成樹脂であるので、成形、接着などの加工が容易であり、大量生産に適した安価な素材であるから使い捨ての吸液パッド１０に極めて好適に用いることができる。
【００４２】
吸液パッド１０は、液体を吸収保持した吸液部材１１を洗浄対象に当てて前後左右にこすって汚れを落とすことができるものであれば、どのような形状であってもよい。吸液部材１１と固定部材１２とを一体的に成形すること、容器先端部４の突部１７に嵌入して使用すること、洗浄中に突部１７から外れないこと、洗浄後容易に突部１７から脱着できることなどを考慮すると、平板状が好ましく。洗浄対象に当たる面の形状は、円形、長方形などどのような形のものでも使用できるが、ひし形、楕円形、長い形の２等辺三角形（正三角形の高さを２倍程度に伸ばした形）などが好ましく、また、ひし形及び三角形の角はアール加工して丸みを付けておくことが好ましい。
【００４３】
吸液部材１１の洗浄面には、突出させてひだ３７を設けることが好ましい。ひだ３７は、ひし形の場合は長い方の対角線と直角に、楕円形の場合は長径と直角に、三角形の場合は最も長い高さと直角になるように設ける。突出するひだ３７の高さは、洗浄に際して、汚れに当たってひだ３７が倒れたとき、固定部材１２の開口２３、あるいはそれと連続して設けられた吸液部材１１の開口２２を覆う長さとし、ひだ３７の幅は、隣り合うひだ３７の間隔と同じとし、前記ひだ３７の高さの半分以下とすることが好ましい。吸液部材１１の開口２２を必ずしも設ける必要がないので、かかる開口がない場合、ひだ３７の長さは開口があるものとして決めればよい。汚れを洗浄するに際して、吸液パッド１０を、鋭角の方向（例えば、ひし形の場合は、長い対角線の方向）に動かして汚れをこすることが好ましい。上記の寸法でひだ３７を設ければ、吸液パッド１０を汚れに当てると、ひだ３７が倒れて固定部材１２の開口２３が塞がれ、吸液パッド１０を移動するたびに汚れに複数のひだ３７が次々と当たり汚れを拭い去ることができる。
【００４４】
吸液パッド１０は、その固定部材１２で容器先端部４の突部１７に着脱自在に固定される。好ましくは、突部１７に固定部材１２の開口２３が嵌入する形で固定されるので、固定部材１２の厚さは、突部１７が容器先端部４から突き出した長さにする。好ましくは固定部材１２は突部１７に嵌入して、容器先端部４の当接面２１に密着するよう押し当てる。固定部材１２は当接面２１に隙間ができないように当接するほど吸液パッド１０はしっかり固定されるので、当接面２１に突き当たる固定部材１２の底面は当該当接面２１に対応した平面であることが好ましい。
また、固定部材１２には、突部１７の形状、サイズ、数及び配置に合致するように開口２３を設ける。さらに、突部１７のほかに、液体のノズル１６が、容器先端部４から突出している場合、ノズル１６を突部１７のように使用して固定部材１２を嵌め込み、吸液パッド１０の固定に利用することもできる。ただし、後述する如く、液体の噴出方向を切り替えるため等により、ノズル１６が可動タイプのものである場合、固定部材１２には、液体のノズル１６がルーズに挿入されるサイズの開口２３を設けることが好ましい。ノズル１６は、可動するものでなければ、吸液パッドを嵌入、固定する突部１７を兼ねることもできる。
吸液パッド１０の吸液部材１１にも、固定部材１２の開口２３と同じ位置に開口２２を設けることもできる。開口２３が突部１７のみに対応する場合、吸液部材１１にまで開口２２を設ける必要はないが、固定部材１２と吸液部材１１の両方の同じ位置に同じサイズの開口を設けることは、吸液パッド１０に貫通孔３６を穿てばよいので加工しやすい利点がある。また、ノズル１６の位置には貫通孔３６を設けることが好ましく、ノズル１６から液体を吸液部材１１に供給するばかりでなく、直進噴出させれば、貫通孔３６を通過して直接汚れに向けて液体を当てることができる。
【００４５】
図７は、固定部材１２の開口２３の形状の例を固定部材１２の外表面２４側から見た図である。上述のように、開口２３の形状は突部１７に対応するものであるが、突部１７に固定部材１２が嵌入してしっかり固定されればよいから、どのような形状であってもよい。すなわち、具体的には円形、楕円形（図７（ａ））、多（六）角形（図７（ｂ））、その他これらが組み合わさった任意の形状（図７（ｃ））が挙げられる。開口は、通常、突部１７の対応する断面と同じ形状にするが、必ずしもそうする必要はなく、円形断面の突部１７に六角形の開口の固定部材１２（吸液パッド１０）を組み合わせてもよいし、逆に、六角形断面の突部１７に円形の開口の固定部材１２（吸液パッド１０）を組み合わせることもでき、その組合せは自由であり、より強固に固定されるものを適宜選択することが好ましい。開口２３は、通常、対応する突部１７の断面と同じ形状にするが、必ずしもそうする必要はなく、円形断面の突部１７に六角形の開口２３の固定部材１２を組み合わせてもよいし、逆に、六角形断面の突部１７に円形の開口２３の固定部材１２を組み合わせることもでき、その組合せは自由であり、より強固に固定されるものを適宜選択することが好ましい。固定部材１２の開口２３を、前記のひし形、楕円形や変形三角形などの形状の重心の位置に設けることにより、洗浄時に、吸液パッド１０の吸液部材１１をバランスよく汚れに押し付けて洗浄することができる。
また、突部１７が複数あれば、当然その数に応じて固定部材１２に開口２３を設ける必要がある。例えば突部１７が２個で開口２３が２個の場合、図７（ｄ）に示すように、固定部材１２の開口２３を、重心を構成ように長手方向に沿って並べて設けてもよいし、図７（ｅ）のように長手方向に直角に並べて設けてもよい。吸液パッド１０は、普通長手方向に動かすことになるから、２個の開口２３は長手方向に沿って設けることが好ましい。さらに、
【００４６】
本発明のハンディタイプの液体適用器具１に用いるノズル１６は、容器本体３からの液体を吸液パッド１０の吸液部材１１に噴出して湿らせたり、あるいは汚れに直接噴出するものである。ノズル１６は、図２、図３において１６で示され、これらの例において、筒状の突部１７の内側に配置されている。
本発明のハンディタイプの液体適用器具１は、ノズル１６から噴出する液体の噴出方向を切り替えて、例えば、ノズル１６の軸２０と同じ方向に一直線で噴出させたり、或いはシャワー状、ラッパ状ないし噴霧状に噴出する手段を有することが好ましい。図１の噴出切替レバー１５は、レバーを左右に動かすと、ノズル１６から噴出される液体の噴出方向が切り替えるものである。例えば、ノズル１６の先端には図８（ａ）に示すように、ノズル１６先端の中央に３個の直進噴出用の噴出口２５があり、ノズル１６先端のコーナー（角）に６個の斜め噴出用の噴出口２６がある。斜め噴出用の噴出口２６は、ノズル軸２０に対して１３５度の角度で噴出するように設けられている。また、ノズル１６先端の内部には、斜め噴出用の噴出口２６を閉じるための筒状の図８（ｂ）に示すノズルパッキン２８が取り付けられている。筒状のノズルパッキン２８の外形は、ノズル１６先端の内部の形状に加工されているから、ノズル１６又はノズルパッキン２８をレバーなど公知の手段で動かしてノズルパッキン２８をノズル１６先端に押し込むと、ノズル１６先端の斜め噴出用の噴出口２６はノズルパッキン２８で塞がれる。しかし、直進噴出用の噴出口２５は、ノズルパッキン２８先端の開口により塞がれない。したがって、ノズルパッキン２８をノズル１６先端に相対的に押し込んで、液体を直線状に噴出することができる。逆にノズルパッキン２８をノズル１６先端から離せば、斜め噴出用の噴出口２６及び直進噴出用の噴出口２５の両方から液体を放出して、汚れと吸液パッド１０の両方に液体を供給することができる。
図１では、噴出切替レバー１５を動かすとノズル１６が前後に移動する仕組みになっている。すなわち、図９に示すように、ノズル１６の基部のノブ２７は、液体収容容器２のケーシングに固定されたガイド板３４のスリットガイド３５を通して噴出切替レバー１５のノブ受け用の孔３６に挿入され、レバー１５を左右に動かすと、ノブ受け用の孔３６がレバー１５の回転に伴ってノブ２７を従えて、スリットガイド３５に沿って移動する。ノブ２７の移動はノズル１６そのものの移動であるから、レバー１５の回転により、ノブ受け用の孔３６が移動するとおりにノブ２７を介してノズル１６は前後に図９（ｂ）にｄで示される距離を移動し、上記のノズルパッキン２８の作用によって液体の噴出を切り替えることができる。
【００４７】
このような液体の噴出方向の切替えによって、液体を汚れのみに吹き付けたり、吸液パッド１０のみに供給したり、汚れと吸液パッド１０の両方に適宜切り替えて供給できることが好ましい。直線状、シャワー状、ラッパ状及び噴霧状等に噴出を切り替え方法は、上記のノズルパッキンを用いる以外にも公知のものを、例えばスプレーのノズル、消防用ホース先端のノズルや散水ノズルなどに用いられている方法を適宜選択し、組み合わせて利用することができるが、上記のノズルパッキン２８を用いる方法は、メカニズムがシンプルで、安定性、確実性に優れる。
【００４８】
本発明のハンディタイプの液体適用器具１は、容器本体３の先端部４に設けられた当接面２１が、前記突部１７の先端近傍まで移動可能に設けられ、かかる移動によって吸液パッド１０を脱着する手段を有していることが好ましい。このような構成により、使用済みの吸液パッド１０に手を触れることなく、さらに使用済みの吸液パッド１０に付着している汚れや使用後の液体で周囲を汚染することなく使用済みの吸液パッド１０を廃棄することができる。
容器先端部４の当接面２１は、上記のように吸液パッド１０の固定部材１２の表面と当接して吸液パッド１０の固定を支援するものであるが、洗浄後、吸液パッド１０を突部１７から押し出して取り外す役割も有する。当接面２１を、突部１７の先端までそのまま平行移動させると、吸液パッド１０（の固定部材１２）は当接面２１に押されて、固定部材１２の開口２３は突部１７からはずれてゆき、液体収容容器から脱着する。
【００４９】
係る脱着機構の一例を図１０に示す。
当接面２１を有する押出し板２９の裏側（液体収容容器側）には突部１７と平行に３本の押出し棒３０が取り付けられており、３本の押出し棒３０の端部は押出しリング３１に固定されている。３本の押出し棒３０及び押出しリング３１は一体的な構造になっている。突部１７がその基部で固定されている容器先端部４のケーシング部材（押出し板２９と平行な板状部材）には３本の押出し棒３０が貫通してスライドする孔が設けられている。したがって、ケーシング部材は、３本の押出し棒３０に沿って押出し板２９と押出しリング３１との間を相対的に移動できる。また、押出しリング３１の外周上部にリングの中心から突出する形で押出しノブ３２が設けられており、押出しノブ３２は容器先端部４近傍の吸液パッド脱着つまみ１４と接続している。
したがって、洗浄終了後、吸液パッド脱着つまみ１４を液体収容容器２の先端方向にスライドさせると、該つまみ１４と接続した押出しノブ３２、押出しリング３１、押出し棒３０及び押出し板２９が容器先端方向にスライドする。固定部材１２の開口２３と突部１７の突起１８と嵌合して固定部材１２の弾性で固定されていた吸液パッド１０は押出し板２９で押されて、固定部材１２部は収縮し、さらに押されてその力が弾性によって固定する力を上回り、吸液パッド１０は突部１７から外れる。このとき、吸液パッド１０を下にして吸液パッド脱着つまみ１４を操作することにより、使用済みの吸液パッド１０に全く触れずに廃棄処理することができるので、衛生的である。
【００５０】
洗浄後、吸液パッド１０を脱着する状態を図１１に示す。図１１（ａ）は洗浄直後、吸液パッド１０を外すために、人差し指を吸液パッド脱着つまみ１４に付けた状態を示し、図１１（ａ′）はそのときの容器先端部４の突部１７と押出し板２９の状態を、吸液パッドを除いて、示す。図１１（ｂ）は吸液パッド脱着つまみ１４を少し移動させた状態を示す。また、図１１（ｃ）は吸液パッド脱着つまみ１４を押し切り、吸液パッド１０が外れた状態を示す。図１１（ｃ′）はそのときの容器先端部４の状態を示し、押出し板２９が突部１７の先端にまできている様子が分かる。
【００５１】
なお、当接面２１を有する押出し板２９は、必ずしも当接面２１全部と一体的に作られている必要はない。押出し板２９としては、洗浄後の吸液パッド１０を突部１７から外すことができればよい。したがって、例えば、図１２（ａ）に示すように、押出し板２９−１及び２９−２は、突部１７の上下にそれぞれ、図１０の押出し棒３０の先端に固定するように設けることもできる。また、４枚の押出し板２９−１〜２９−４を、図１２（ｂ）に示すように、突部１７の上下左右に設けることもできる。
【００５２】
容器本体３の形状は、容器本体の軸１９に対して（長手方向に）直角な断面が略楕円形状を有するものが好ましい。楕円であると、掴んだとき容器本体３が手の中で回転しないので、容器本体３を掴みやすく、押圧をかけやすく、また吸液パッド１０の操作性が向上して、確実に安定して拭うことができる。
【００５３】
さらに、容器把持部６の下部８における楕円の長径と、容器把持部６の上部７の長径が略90度の角度をなし、その間で楕円の長径と短径が滑らかに変形した構造であることが好ましい。楕円の長径は、図１において容器把持部６の下部８では紙面に垂直な方向になっており、容器把持部６の上部７では図１において紙面と平行な方向になっている。なお、容器把持部６の下部８とは普通に容器本体３を掴んだとき、小指がくる方の部位を指し、容器把持部６の上部７は親指がくる方の部位を指す。また、楕円の長径と短径が滑らかに変形した構造とは、容器把持部６の下部８における楕円の長径と短径が、容器把持部６の上部７に向かって滑らかに長径が短くそして短径が長くなってゆき、中間部で長径と短径が等しい（断面真円形）状態を経て、長径と短径が入れ替わったような状態（両者の長径の角度が略９０度をなす）で容器把持部６の上部７の楕円に到達する構造を言う。こうすることにより、容器持部６を掴んだとき、よりしっくり手のひら等にフィットし、さらに、小指、薬指（及び中指）と手のひらとで、また親指と人指し指（及び中指）とで安定的に至極自然に容器本体３の押圧変形可能な部分に圧を加えることができるから、吸液パッド１０の操作性が格段に向上する。
【００５４】
なお上述の略９０度とは、上述の効果が得られる角度であれば、必ずしも９０度ぴったりにすることを要せず、例えば、９０±３０度であってもよく、より好ましくは９０±１０度である。また、９０度に近いほど外観の見栄えがよく、製造もしやすくなるので好ましい。
【００５５】
さらに、図１から分かるように、容器本体３は、容器把持部６の上で屈曲しているが、本発明の液体適用器具１は、容器本体３の軸１９の方向（長手方向）と、液体を送り出すノズル１６の軸２０の方向（図１においては、押出し板２９に垂直な方向）が同じ、すなわち容器本体３は、ノズル１６まで屈曲せず、ストレートであってもよい。コンパクトで持ち運びや保管性に優れるので、携帯用で用いるときに便利である。
一方、図１のように屈曲して、容器本体３の軸１９の方向とノズル１６の軸２０の方向が異なってもよく、吸液パッド１０の操作性、安定性が向上する。この場合、前記の両者の軸がなす角度は、１２０度以上であることが好ましい。さらに、かかる角度を有する両者の軸によって形成される面と容器把持部６の下部８における楕円の長径とは垂直に交差する構成であることが好ましい。両者の軸が交差せず、面が形成されないことがあるが、このようなときは、容器本体３の軸１９及びノズル１６の軸２０がそれぞれ前記楕円の長径と直角な２つの平面上にあり、２つの平面を重ねたときに形成される角度として前記の角度であることが好ましい。また、容器本体３の長手方向と、ノズル１６の軸２０方向とでなす角度は、図２においてθで示される角度をいう。容器本体３にこのような角度を設けることにより、容器先端部４に装着された吸液パッド１０を汚れに確実に安定して対向させることができる。こうすることによって、容器本体３を握ったとき、握った手の向きと吸液パッド１０の方向がフィットして、上述の容器把持部６の上部７と基部それぞれの楕円構造の効果と相俟って、さらに、吸液パッド１０の操作性、安定性が向上する。
【００５６】
図１において、キャップ９は、液体を容器本体３に補充するために設けられたものである。キャップ９は、容器本体３断面が楕円形である箇所に設けられているので、力を効果的に使うことができ、握力の弱い者や老人でも容易に力を入れやすく開け閉めしやすい。特に、キャップ９も容器本体３のキャップ係合部と同じ楕円形状にして、両者の楕円形状が一致したとき密閉に保たれる構造にすると、キャップ９が最後まで閉めこまれない場合、キャップ９と容器本体３の係合部とが平滑にならず、一見して閉められていないことに気づくために、液体の液漏れ等を防止することができる。
【００５７】
上記キャップ９は、容器基端部５に取り付けられるようになっているが、容器本体３の断面が楕円形状の適宜の位置で容器本体３を分割し、分割された部分同士の開口部分を加工して、螺合などの公知の係合手段と、液体が漏洩しないよう公知のシール手段を組み合わせてキャップ９に替わる液体の補充機構を設けることができる。容器把持部６は容器本体３を押圧して変形する必要があることから、液体の補充機構は、容器把持部６以外の位置に設けることが好ましく、容器基端部５（図１のキャップ９の位置）、又は容器把持部６の上方の操作機構収容部１３が始まる位置が好ましい。後者の位置の場合、容器本体３に加工を加える箇所が少なくなり、そのため容器本体３の安全性が保持され、液体の漏洩などが懸念される箇所が少なくする効果がある。一方、上記のキャップ９のように容器基端部５の場合には、キャップ９の開閉操作がやりやすく、硬質な材料でキャップ９を作り、硬質なキャップ９の頭を底にして立てて置くことができる。
【００５８】
本発明の液体適用器具１の使用方法を、図１〜図３に基づいて説明する。この場合、当該液体適用器具１を、臀部の洗浄器具として使用したものとする。
まずキャップ９を容器本体３から外して、液体（例えば、水、お湯、アルコールや酢酸などを含む消毒液、界面活性剤などを含む清浄用液体等）を充填し、キャップ９を閉める。容器本体３もキャップ９も共に断面が楕円形であるので、開閉は楽に行うことができる。また、容器本体３とキャップ９との２つの楕円形がピッタリ合うまで締めて密閉を確保する構造にすれば、２つの楕円形がマッチしていない場合、漏洩の危険性があることを一目で察知することができる。
【００５９】
それから、吸液パッド１０の固定部材１２の開口２３（図３（ｂ）参照）を突部１７に、固定部材１２の底面が押出し板２９にピッタリ当接するまで嵌め込む。容器本体３の容器把持部６を掴んで、容器本体３に圧力を加えると、容器内の液体は押し出されてノズル１６から噴出される。このとき、噴出切替レバー１５を操作することによって、液体をストレートに噴出して洗浄対象の汚れに直接液体を吹き付けたり、あるいはシャワー状に噴出させて広範に、又は吸液パッド１０に液体を供給することができる。
【００６０】
次いで、吸液パッド１０の吸液部材１１を洗浄対象の汚れに当てて、こすることによって汚れを拭い去る。吸液部材１１の洗浄側は、ひだ状に凹凸加工されており、液体適用器具１を動かして汚れをこする場合、ひだ３７が次々に汚れをこするように動かすことが好ましい。つまり、ひだに沿って動かすのではなく、ひだ３７と直角の方向に動かすと前記のような効果を得ることができる。また、ひだ３７と直角の方向に動かすとひだ３７が固定部材１２の開口２３を塞ぎ、汚れがノズル１６の先端を汚すことがない（開口を有しない吸液部材１１は元々この効果を持っている）。洗浄中に、容器本体３を圧迫して液体を連続的に放出し、洗い流すように洗浄することもできる。
【００６１】
なお、容器本体３と吸液パッド１０とが接続されているため、利き腕で容器本体３を容易に操作することにより、吸液パッド１０をデリケートに動作させることが可能となる。
この際、使用者の所望により、吸液パッド１０が洗浄対象位置をマッサージするように優しく動かしたり、液体を泡立てるように動かしたりすることが可能となる。
【００６２】
洗浄が終了したら、容器本体３の先端付近に配置されている吸液パッド脱着つまみ１４を吸液パッド１０の方向にスライドすると、吸液パッド脱着つまみ１４は押出し板２９とつながっているから、押出し板２９は突部１７の先端、すなわちノズル１６の先端付近にまで押し出される。この移動によって、押出し板２９に当接する吸液パッド１０は、突部１７から外れる。適当なごみ容器の上で前記の操作を行えば、汚損された吸液パッド１０は、その自重でゴミ容器に落下する。このとき、汚損された吸液パッド１０に全く手を触れないで、また周辺を汚すことなく汚損された吸液パッド１０を衛生的に廃棄することができる。
【００６３】
以上のように、本発明によれば、液体の充填及び吸液パッド１０の嵌入以外は全て片手で容器本体３を掴んで洗浄水を含んだ吸液パッド１０で汚れをこすって、簡単に汚れを拭い去ることができるから、病院、家庭やオフィス等のあらゆる汚れを手軽に処理することができる。特に、肌に優しい吸液部材１１の吸液パッド１０を用いれば、肌に付着した頑固な汚れを、肌を傷めることなく、確実に素早く落とすことができるという効果を奏するので、持に病人や老人の介護や乳幼児のおむつを交換する際等に、好適に使用することができる。
【００６４】
一方、洗浄用の器具としての使用に限らず、使用者の様々なアイデアにより、収容させる液体を選択することができるのは勿論である。例えば、液体としてペンキ、染み抜き剤などを採用することもでき、この場合においても、液体の噴出及び吸液パッドによる該液体の塗布作業を片手にて行うことが可能となる。
【図面の簡単な説明】
【００６５】
【図１】本発明の液体適用器具１の一実施態様を、液体適用器具全体の概観を示す図である。
【図２】図２（ａ）は、図１の液体適用器具１を取り外し可能な部材（吸液パッド１０、キャップ９）を離して示す側面図であり、図２（ｂ）は、図２（ａ）の左側から見た液体収容容器２（吸液パッド１０を外した状態）の正面図である。
【図３】吸液パッド１０と突部１７との結合、吸液パッド１０と押出し板２９との当接の状態を示す図である。図３（ａ）は、結合された状態を示し、図２（ｂ）は、離れた状態を示す。
【図４】図４は、固定部材１２を、当接面２１に当てずに、突部１７に嵌入し、そこだけで固定する状態の一例を示す。
【図５】図５は、突部１７自体に平面の当接面２１を設けて固定部材１２を嵌入し、固定した状態の一例を示す。
【図６】図６は、異なる種々の断面を有する台形状の突起１８の効果を説明するための図である。図６（ａ）は、突起１８の先端側及び基部側の両方にスロープを有する台形であり、図６（ｂ）は、突起１８の先端側のみにスロープを有し、図６（ｃ）は、突起１８の基部側のみにスロープを有する台形を示す。また、図６（ｄ）は、突起１８が基部まで伸びている台形を示す。
【図７】図７は、図７（ａ）〜（ｃ）に固定部材１２の開口の形状の例を示し、図７（ｄ）〜（ｅ）に複数の開口の配置の例を示す。
【図８】図８（ａ）は、本発明の液体適用器具に用いるノズル１６の一例を示し、図８（ｂ）は、該ノズル１６の先端内側に挿入して斜め噴出用の噴出口２６を塞ぐノズルパッキンを示す。
【図９】図９は、液体の噴出を切り替える機構の一例を示すものであり、主要な構成部材の動作機構を示す。（ａ）は正面から見た図であり、（ｂ）は上から見た図である。
【図１０】図１０は、脱着の機構の一例を示すものであり、構成部材を分解図で示す。
【図１１】図１１は、吸液パッド１０の脱着操作の実例を示す図であり、図１１（ａ）は洗浄直後人差し指を吸液パッド脱着つまみ１４に付けた状態を示し、図１１（ａ′）はそのときの吸液パッドを除いた容器先端部４の突部１７と押出し板２９の状態を示す。図１１（ｂ）は吸液パッド脱着つまみ少し移動させた状態を示す。また、図１１（ｃ）は吸液パッド脱着つまみ１４を押し切り、吸液パッドが外れた状態を示し、図１１（ｃ′）はそのときの容器先端部４の状態を示す。
【図１２】図１２は、押出し板２９の変更例を示し、図１２（ａ）は、突起１７の上下に２枚の押出し板２９を、図１２（ｂ）は、突起の上下左右に４枚の押出し板２９を設けた例を示す。
【符号の説明】
【００６６】
１    液体適用器具
２    液体収容容器
３    容器本体
４    容器先端部（又は、容器本体３の先端部）
６    容器把持部
９    キャップ
１０  吸液パッド
１１  吸液部材
１２  固定部材
１４  吸液パッド脱着つまみ
１５  噴出切替レバー
１６  ノズル
１７  突部
１８  突起
１９  容器本体の軸
２０  ノズルの軸
２１  当接面
２３  固定部材の開口
【図１】
2005246190.tif 000003
【図２】
2005246190.tif 000004
【図３】
2005246190.tif 000005
【図４】
2005246190.tif 000006
【図５】
2005246190.tif 000007
【図６】
2005246190.tif 000008
【図７】
2005246190.tif 000009
【図８】
2005246190.tif 000010
【図９】
2005246190.tif 000011
【図１０】
2005246190.tif 000012
【図１１】
2005246190.tif 000013
【図１２】
2005246190.tif 000014